【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
無線通信システムであって、
基地局と、
複数の加入者局と、
前記基地局と前記複数の加入者局との間で動作するチャネル構造であって、少なくとも１つのアップリンクチャネルと、前記複数の加入者局のうち少なくとも２つ及び前記基地局によって共有される関連ダウンリンク信号チャネルとを含み、該関連ダウンリンク信号チャネルは、該アップリンクチャネルが、前記少なくとも２つの加入者局のうちの１つが前記基地局へ次に送信するように指定されるポーリングモードにあるか、又は、前記基地局へ送信するデータを有する前記少なくとも２つの加入者局のうちのいずれか１つ以上が前記基地局へ次に送信することのできるランダムモードにあるかを、前記少なくとも２つの加入者局に示し、加入者局が前記基地局に対して送信する毎に、該送信データが前記加入者局からの送信待ちデータ量の表示情報を含む、チャネル構造と、
を含む、無線通信システム。
【請求項２】
前記データが前記少なくとも１つのアップリンクチャネル上でランダムモードで送信された場合、前記関連ダウンリンク信号チャネルは次に、前記基地局での受信の成功の表示情報を提供する、請求項１の無線通信システム。
【請求項３】
前記成功の表示情報が、首尾よく受信された前記送信の送信元である前記加入者局の表示情報を更に含む、請求項２の無線通信システム。
【請求項４】
前記表示情報が、前記送信待機中データの優先順位の表示情報を更に含む、請求項１の無線通信システム。
【請求項５】
前記基地局がスケジューラを更に含み、前記スケジューラは前記複数の加入者局のうち前記少なくとも２つから前記基地局に送信されるデータの量を判断し、判断された前記量が所定の量を下回る場合は前記少なくとも１つのアップリンクチャネルをランダムモードにし、判断された前記量が前記所定の量以上である場合はポーリングモードにする、請求項１の無線通信システム。
【請求項６】
前記スケジューラが更に、前記複数の加入者局のうち前記少なくとも２つの各々から送信されるデータの量を第２の所定の量と比較し、前記複数の加入者局のうち前記少なくとも２つの各々から送信される前記データの量が前記第２の所定の量を下回る場合は前記少なくとも１つのアップリンクチャネルをランダムモードにし、前記複数の加入者局のうち前記少なくとも２つのいずれか１つ以上から送信される前記データの量が前記第２の所定の量以上である場合はポーリングモードにする、請求項５の無線通信システム。
【請求項７】
前記スケジューラは、所与の期間内に生じる衝突の数が所定の数を越えるまで前記アップリンクチャネルをランダムモードにし、前記衝突の数が前記所定の数を越えた時点で前記スケジューラは前記アップリンクチャネルをポーリングモードにする、請求項１の無線通信システム。
【請求項８】
少なくとも２つのアップリンクチャネルと、関連ダウンリンク信号チャネルとを更に含み、前記基地局が、前記複数の加入者局の異なるセットを前記２つのアップリンクチャネルの各々を使用するように割り当てる、請求項１の無線通信システム。
【請求項９】
前記少なくとも２つのアップリンクチャネルのうちの第１のチャネルの送信容量は前記少なくとも２つのアップリンクチャネルのうちの第２のチャネルよりも大きく、前記基地局は、より大きな送信容量を必要とする加入者局を前記第１のアップリンクチャネルに割り当て、より小さな送信容量を必要とする加入者局を前記第２のアップリンクチャネルに割り当てる、請求項８の無線通信システム。
【請求項１０】
前記加入者局の前記アップリンクチャネルへの前記割当が周期的に再検討され、前記加入者局が、適正に前記第１及び第２アップリンクチャネル間で再割り当てされる、請求項９の無線通信システム。
【請求項１１】
前記関連ダウンリンク信号チャネルが更に、前記アップリンクチャネル上で送信する加入者局に送信電力制御情報を提供する、請求項１の無線通信システム。
【請求項１２】
送信元の加入者局が、選択された量の送信電力制御情報を前記基地局から受信するまでペイロードデータを送信しない、請求項１１の無線通信システム。
【請求項１３】
前記選択された量の送信電力制御データが送信タイムスロットの第１の部分である、請求項１２の無線通信システム。
【請求項１４】
前記アップリンクチャネルがポーリングモードにあり、第１の加入者局が２つ以上の連続する送信タイムスロット間に送信するように選択された場合、前記第１の加入者局が、タイムスロット全体を構成する各タイムスロットが前記第１のタイムスロットの後に選択されるタイムスロット全体の間にペイロードデータを送信する、請求項１３の無線通信システム。
【請求項１５】
前記システムは、各々が関連ダウンリンク信号チャネルを有する少なくとも２つのアップリンクチャネルを含み、前記基地局が、前記少なくとも２つの加入者局の各々を、前記少なくとも２つのアップリンクチャネルの各々を使用するために割り当てるように動作可能である、請求項１の無線通信システム。
【請求項１６】
前記少なくとも２つのアップリンクチャネル間で加入者局の再割当を行うために、前記基地局が前記少なくとも２つのアップリンクチャネルの利用レベルに反応する、請求項１５の無線通信システム。
【請求項１７】
前記少なくとも２つのアップリンクチャネルのうち少なくとも一方の送信容量が前記少なくとも２つのアップリンクチャネルのもう一方よりも大きい、請求項１５の無線通信システム。
【請求項１８】
基地局と、複数の加入者局とを含み、該複数の加入者局のうち少なくとも２つによって共有される少なくとも１つのアップリンクチャネル及び関連ダウンリンク信号チャネルを含む通信チャネル構造を備える無線通信システムの動作方法であって、
（ｉ）前記基地局が、前記少なくとも１つのアップリンクチャネルをランダムモード及びポーリングモードのうちの一方にするステップと、
（ｉｉ）前記アップリンクチャネルの動作モードと、該動作モードがポーリングモードである場合は、前記アップリンクチャネルを使用するように選択される前記少なくとも２つの加入者局のうちの一方とを、前記関連ダウンリンク信号チャネルを介して前記少なくとも２つの加入者局に通信するステップと、
（ｉｉｉ）前記少なくとも２つの加入者局の各々が、前記アップリンクの前記動作モードを判断するステップであって、
（ａ）前記動作モードがランダムモードである場合、前記基地局に送信するデータを有する前記少なくとも２つの加入者局のいずれか１つ以上が前記アップリンクチャネルでそのデータを送信し、
（ｂ）前記動作モードがポーリングモードの場合、前記少なくとも２つの加入者ステーションの各々が選択された加入者局であるか否かを更に判断し、前記選択された加入者ステーションは前記アップリンクチャネルで前記基地局に送信し、それ以外の前記少なくとも２つの加入者局は送信しない、
前記アップリンクの前記動作モードを判断するステップと、
（ｉｖ）前記基地局が前記アップリンクチャネルでの前記送信を受信し、前記アップリンクチャネルを次の送信用に選択された動作モードにするステップと、
（ｖ）ステップ（ｉｉ）乃至ステップ（ｖ）を繰返すステップと、
を含み、
前記アップリンクチャネルで送信を行う各加入者局は、少なくとも前記基地局に送信するデータ量の表示情報を供給する、
無線通信システム動作方法。
【請求項１９】
前記ステップ（ｉｖ）は、選択された数の衝突が選択された時間フレーム内に生じるまで前記選択された動作モードをランダムモードに維持し、その後、少なくともある期間は前記動作モードをポーリングモードに設定することを含む、請求項１８の方法。
【請求項２０】
前記動作モードをポーリングモードにする前記期間は、前記少なくとも２つの加入者局で待機中のデータの量が、選択された閾値の量を下回るのに必要な時間である、請求項１９の方法。
【請求項２１】
前記基地局が少なくとも２つのアップリンクチャネル及び関連ダウンリンク信号チャネルを含み、前記少なくとも２つのアップリンクチャネルの１つ及び関連ダウンリンク信号チャネルを別個に使用するように前記少なくとも２つの加入者局の各々を割り当てるステップを更に含み、前記ステップ（ｉ）乃至前記ステップ（ｖ）を前記少なくとも２つのアップリンクチャネルの各々に対して行う、請求項１８の方法。
【請求項２２】
前記基地局が少なくとも２つのアップリンクチャネル及び関連ダウンリンク信号チャネルを含み、前記少なくとも２つのアップリンクチャネルの少なくとも一方の送信容量が前記少なくとも２つのアップリンクチャネルの他方よりも大きく、前記少なくとも２つのアップリンクチャネルの１つ及び関連ダウンリンク信号チャネルを別個に使用するように前記少なくとも２つの加入者局の各々を割り当てるステップを更に含み、前記ステップ（ｉ）乃至前記ステップ（ｖ）を前記少なくとも２つのアップリンクチャネルの各々に対して行う、請求項１８の方法。
【請求項２３】
前記基地局が、前記少なくとも２つのアップリンクチャネルの各々の利用レベルをモニタし、前記少なくとも２つのアップリンクチャネル間で加入者局の再割当を行って前記少なくとも２つのアップリンクチャネルの利用バランスを改善するステップを更に含む、請求項２２の方法。
【請求項２４】
アップリンクチャネル上で送信する各加入者局が、前記送信の間に前記関連ダウンリンク信号チャネル上で前記基地局から送信電力制御情報を受信する、請求項１８の方法。
【請求項２５】
基地局と、複数の加入者局とを有する通信システムで使用する加入者局であって、
前記加入者局から前記基地局へのアップリンクチャネルの動作モードを示すダウンリンク信号チャネルを前記基地局から受信する受信機と、
受信した前記ダウンリンク信号チャネルから前記アップリンクチャネルの動作モードを判断し、判断した前記動作モードがポーリングモードである場合、前記加入者局が前記アップリンクチャネル上での送信を許可されているか否かを受信した前記ダウンリンク信号チャネルから判断する制御手段と、
前記加入者局が送信を許可されている場合、又は判断した動作モードがランダムモードで前記加入者局が前記基地局に送信するデータを有する場合、前記基地局への送信用データフレームを構成するプロセッサ手段と、
前記構成されたデータフレームを前記基地局に前記アップリンクチャネル上で送信する送信機であって、前記受信機によって前記基地局から受信された電力制御情報に従って設定された送信電力レベルで前記構成されたフレームを送信する送信機と、
を含み、
前記構成されたデータフレームは、前記加入者局からの送信待ちデータ量の表示情報を含む、
加入者局。
【請求項２６】
前記構成されたデータフレームが前記アップリンクチャネル上でランダムモードで送信されるとき、前記ダウンリンク信号チャネルは、前記基地局での前記構成されたデータフレームの受信成功を示す情報を順次供給する、請求項２５の加入者局。
【請求項２７】
前記表示情報が、前記送信待ちデータの優先順位を示す情報をさらに含む、請求項２５の加入者局。
【請求項２８】
前記加入者局は、選択された量の送信電力制御情報を基地局から受信するまで、ペイロードデータを送信しない、請求項２５の加入者局。
【請求項２９】
前記選択された量の送信電力制御データが送信タイムスロットの第１の部分である、請求項２８の加入者局。
【請求項３０】
前記加入者局が２つ以上の連続した送信タイムスロットで送信することが許可されたとき、前記加入者局は、前記第１のタイムスロットの後に、前記許可されたタイムスロットの各々について、タイムスロット全体の間でペイロードデータを送信する、請求項２９の加入者局。
【手続補正２】
【補正対象書類名】明細書
【補正対象項目名】００１６
【補正方法】変更
【補正の内容】
【００１６】
本発明の第１の態様に従って、無線通信システムが提供される。このシステムは、
基地局と、
複数の加入者局と、
前記基地局と前記複数の加入者局との間で動作するチャネル構造であって、少なくとも１つのアップリンクチャネルと、前記複数の加入者局のうち少なくとも２つ及び前記基地局によって共有される関連ダウンリンク信号チャネルとを含み、該関連ダウンリンク信号チャネルは、該アップリンクチャネルが、前記少なくとも２つの加入者局のうちの１つが前記基地局へ次に送信するように指定されるポーリングモードにあるか、又は、前記基地局へ送信するデータを有する前記少なくとも２つの加入者局のうちのいずれか１つ以上が前記基地局へ次に送信することのできるランダムモードにあるかを、前記少なくとも２つの加入者局に示し、加入者局が前記基地局に対して送信する毎に、該送信データが前記加入者局からの送信待ちデータ量の表示情報を含む、チャネル構造と、
を含む。
【手続補正３】
【補正対象書類名】明細書
【補正対象項目名】００２１
【補正方法】変更
【補正の内容】
【００２１】
本発明の他の態様に従って、基地局と、複数の加入者局とを含み、該複数の加入者局のうち少なくとも２つによって共有される少なくとも１つのアップリンクチャネル及び関連ダウンリンク制御チャネルを含む通信チャネル構造を備える無線通信システムの動作方法が提供される。この方法は、
（ｉ）前記基地局が、前記少なくとも１つのアップリンクチャネルをランダムモード及びポーリングモードのうちの一方にするステップと、
（ｉｉ）前記アップリンクチャネルの動作モードと、該動作モードがポーリングモードである場合は、前記アップリンクチャネルを使用するように選択される前記少なくとも２つの加入者局のうちの一方とを、前記関連ダウンリンク制御チャネルを介して前記少なくとも２つの加入者局に通信するステップと、
（ｉｉｉ）前記少なくとも２つの加入者局の各々が、前記アップリンクの前記動作モードを判断するステップであって、
（ａ）前記動作モードがランダムモードである場合、前記基地局に送信するデータを有する前記少なくとも２つの加入者局のいずれか１つ以上が前記アップリンクチャネルでそのデータを送信し、
（ｂ）前記動作モードがポーリングモードの場合、前記少なくとも２つの加入者ステーションの各々が選択された加入者局であるか否かを更に判断し、前記選択された加入者ステーションは前記アップリンクチャネルで前記基地局に送信し、それ以外の前記少なくとも２つの加入者局は送信しない、
前記アップリンクの前記動作モードを判断するステップと、
（ｉｖ）前記基地局が前記アップリンクチャネルでの前記送信を受信し、前記アップリンクチャネルを次の送信用に選択された動作モードにするステップと、
（ｖ）ステップ（ｉｉ）乃至ステップ（ｖ）を繰返すステップと、
を含み、
前記アップリンクチャネルで送信を行う各加入者局は、少なくとも前記基地局に送信するデータ量の表示情報を供給する。
【手続補正４】
【補正対象書類名】明細書
【補正対象項目名】００２５
【補正方法】変更
【補正の内容】
【００２５】
本発明の更に他の態様に従って、基地局と、複数の加入者局とを有する通信システムで使用する加入者局が提供される。この加入者局は、
前記加入者局から前記基地局へのアップリンクチャネルの動作モードを示すダウンリンク信号チャネルを前記基地局から受信する受信機と、
受信した前記ダウンリンク信号チャネルから前記アップリンクチャネルの動作モードを判断し、判断した前記動作モードがポーリングモードである場合、前記加入者局が前記アップリンクチャネル上での送信を許可されているか否かを受信した前記ダウンリンク信号チャネルから判断する制御手段と、
前記加入者局が送信を許可されている場合、又は判断した動作モードがランダムモードで前記加入者局が前記基地局に送信するデータを有する場合、前記基地局への送信用データフレームを構成するプロセッサ手段と、
前記構成されたデータフレームを前記基地局に前記アップリンクチャネル上で送信する送信機であって、前記受信機によって前記基地局から受信された電力制御情報に従って設定された送信電力レベルで前記構成されたフレームを送信する送信機と、
を含み、
前記構成されたデータフレームは、前記加入者局からの送信待ちデータ量の表示情報を含む。
【手続補正５】
【補正対象書類名】明細書
【補正対象項目名】００３２
【補正方法】変更
【補正の内容】
【００３２】
各加入者局４４はトランシーバを有し、その受信機部分は、基地局２４からリンク４８を介して伝送されるデータ及び信号情報を受信するように動作可能である。また、各加入者局４４もモデムを含み、モデムは、基地局２４からダウンリンクチャネル４８dlによって受信されたデータを処理し（即ち、逆拡散、復調、復号などによってアンパックし）、アップリンクチャネル４８ulを介して基地局２４に送信するデータを適切にパッケージ化するように動作可能である。
【手続補正６】
【補正対象書類名】明細書
【補正対象項目名】００３９
【補正方法】変更
【補正の内容】
【００３９】
本実施の形態では、３ＧＰＰ機構によって提案されたものによく類似した基本フレーム構造がシステム２０全体に用いられている。送信は固定期間のフレーム単位で構成され、フレームは更に固定数のタイムスロットに分割されている。本実施の形態では、これらのフレーム構造は長さが１０ミリ秒であり、１５の均等な持続期間のタイムスロットからなる。また、多重アクセス技術としてＣＤＭＡを用いる本実施の形態では、３，８４０，０００チップ／秒のチップレートがシステム２０において用いられる。よって、持続期間が１０ミリ秒のフレームは３８，４００のチップを含み、フレームの１５のタイムスロットの各々は２，５６０のチップを含む。当業者には明らかになるように、他の多重アクセス技術、チップレート及び／又は数字を、本発明の要旨を逸脱しない範囲で用いることができる。
【手続補正７】
【補正対象書類名】明細書
【補正対象項目名】００４８
【補正方法】変更
【補正の内容】
【００４８】
アップリンクフレーム構造７２ulaのＩ部分の最後の２５６チップは、ＤＴＸ記号からなるガードタイムフィールド８４を表す。このガードタイムフィールド８４は、異なる加入者局４４におけるクロックのばらつき（非同時性）や、異なるラウンドトリップ遅延（これは加入者局４４の基地局２４からの距離が異なるために生じる）のために、第２の加入者局４４からの後続送信の始めが、第１の加入者局４４の先立つ送信の終わりと衝突（即ち、上書き）してしまうのを防止するために設けられる。より長いラウンドトリップ遅延を考える場合や異なるチップレートなどの特定の状況では、ガードタイムフィールド８４及びＤＴＸフィールド７６の長さを必要に応じて変えることができる。
【手続補正８】
【補正対象書類名】明細書
【補正対象項目名】００６２
【補正方法】変更
【補正の内容】
【００６２】
当業者には明らかになるように、必要に応じて種々の他のマッピングを用いてもよい。例えば、各値はデータの更に大きな増加を示すことができる。即ち、「０」の値は１バイト乃至４ＫＢの送信用データを示すことができ、「１」の値は４ＫＢ乃至８ＫＢの送信用データを示すことができるなどであり、そして２５５の値は、１ＭＢより多い、又は任意の他の量の送信用データを示すことができる。
【手続補正９】
【補正対象書類名】明細書
【補正対象項目名】００９６
【補正方法】変更
【補正の内容】
【００９６】
ステップ４１２においてこの閾値を越えている場合、この方法はステップ４１６に進んでアップリンクチャネル４８pulをポーリングモードにし、基地局２４内のスケジューラの動作により、アップリンクチャネル４８pulに割り当てられた加入者局４４をポーリングする。ステップ４２０において、アップリンクチャネル４８pulに割り当てられた加入者局４４の状態をランダムモードに戻せるか否かを判断する。基地局２４への送信のために待ち行列となっているデータを有する加入者局４４の数、これらの加入者局において待ち行列となっているデータの総量、及び／又はそのデータの優先順位を考えることにより、この判断を行うことができる。この判断に用いられる実際の値及びストラテジーは、ネットワーク２０のオペレータがカスタマーに提供することを望むサービスのレベル、及びアップリンクチャネル４８pulの送信容量などを含む種々の要因に依存し、ネットワーク動作中の異なる時期に、及び／又は異なるアップリンクチャネルによって変更することができる。